【事件の表示】
　特許第３２０８９０３号「レンズ鏡筒」の請求項１ないし３に係る特許に対する特許異議の申立てについて、次のとおり決定する。
【結　論】
　訂正を認める。
　特許第３２０８９０３号の請求項に係る特許を維持する。
【理　由】
１．手続の経緯
    特許第３２０８９０３号の請求項１〜３に係る発明についての出願は、平成５年２月２３日に特許出願され、平成１３年７月１３日にその発明について特許権の設定登録がされ、その後、その特許について、異議申立人　島田　洋より特許異議の申立てがなされ、取消の理由が通知され、その指定期間内である平成１４年８月１２日に訂正請求がされたものである。
　
２．訂正の適否についての判断
（１）訂正の内容
　特許権者が求めている訂正の内容は以下の訂正事項ａのとおりである。
訂正事項ａ．特許請求の範囲の【請求項１】を次のように訂正する。
　
「【請求項１】固定環と、
　前記固定環の光軸側に設けられ、内周面から内部に設けられた有底の第１案内溝と、外周面から内部に設けられ溝深方向の投影領域に前記第１案内溝と交差部を有し前記固定環によって位置決めされた固定突起部が摺動する有底の外側案内溝とを有する案内環と、
　前記案内環の光軸側に配置され、前記第１案内溝と係合する第１案内ピンと第１レンズとを有し、前記案内環の光軸を略中心とする回転によって光軸方向に駆動する第１レンズ保持枠と、
を有するレンズ鏡筒。」を
「【請求項１】固定環と、
　前記固定環の光軸側に設けられ、内周面から内部に設けられた有底の第１案内溝と、外周面から内部に設けられ溝深方向の投影領域に前記第１案内溝と交差する交差部を有し前記固定環によって位置決めされた固定突起部が摺動する有底の外側案内溝とを有する案内環と、
　前記案内環の光軸側に配置され、前記第１案内溝と係合する第１案内ピンと第１レンズとを有し、前記案内環の光軸を略中心とする回転によって光軸方向に駆動する第１レンズ保持枠と、
を有するレンズ鏡筒。」と、訂正する。
　
（２）訂正の目的の適否、新規事項の有無、及び特許請求の範囲の拡張・変更の存否
　上記訂正事項ａは、明りょうでない記載の釈明を目的とした明細書の訂正に該当し、新規事項の追加に該当せず、また、実質上特許請求の範囲を拡張し、又は変更するものでもない。
　　
（３）むすび
　以上のとおりであるから、上記訂正は、特許法第１２０条の４第３項で準用する平成６年法改正前の同法第１２６条第１項ただし書、第２項及び第３項の規定に適合するので、当該訂正を認める。
　
３．特許異議申立ての概要
　特許異議申立人　島田　洋は、請求項１〜３に係る発明（以下、「本件発明１」〜「本件発明３」という。）は、以下の理由により、特許を取り消すべき旨主張している。
　
・「本件発明１」〜「本件発明３」の特許は、甲第１号証（特開昭５７−７８００７号公報）、甲第２号証（特開昭５２−３４７２５号公報）、甲第３号証（特開昭６１−１６２０３４号公報）により、特許法第２９条第２項の規定に違反してなされたものである。
　
４．特許異議申立てについての判断
（１）本件発明
　本件発明１は、上記「２．訂正の適否についての判断」において示したように、訂正明細書の請求項１に記載された事項により特定されるとおりのものである。
　
（２）甲第１号証乃至甲第３号証記載の発明
　甲第１号証には、固定筒１と、その外側に設けられ、内周面から内部に設けられた有底のカム溝８ｂ１と、カム溝８ｂ１と交差する交差部を有する有底のカム溝８ａ１とを有するカム部材８と、カム部材８の光軸側に配置され、カム溝８ａ１と係合する係合ピン９と変倍用レンズＬ１とを有し、カム部材８の光軸を略中心とする回転によって光軸方向に駆動するレンズ保持部材４と、を有するズームレンズの変倍装置、が記載されている。
　
　甲第２号証には、レンズ鏡筒の駆動円筒２２に、内側および外側から有底の案内溝２２ａ〜２２ｄを設けている点が記載されている。
　
　甲第３号証には、絞り用部材２０を固定筒１の内部に配置している点が記載されている。
　
（３）対比・判断
　そこで、本件発明１と、甲第１号証乃至甲第３号証記載の発明とを対比すると、甲第１号証乃至甲第３号証のいずれにも、本件発明１の「固定環の光軸側に設けられ、内周面から内部に設けられた有底の第１案内溝と、外周面から内部に設けられ溝深方向の投影領域に前記第１案内溝と交差する交差部を有し前記固定環によって位置決めされた固定突起部が摺動する有底の外側案内溝とを有する案内環」の記載がなく、示唆もない。
　
　甲第１号証には、有底カム溝を配置するスペースの縮小化のために有底カム溝を交差した点が、甲第２号証には、カム筒の表裏面に有底カム溝を設けた点が、それぞれ個別に記載されているのみで、甲第１号証乃至甲第３号証のいずれにも、本件発明１の前提的構成である「固定環」、「固定突起部」および「案内環」の関連構成がないので、そのような関連構成を有するものにおいて、内周面カム溝と外周面カム溝とを立体的に交差させることまで、当業者にとって容易とは言えない。
　
　また、本件発明２は、本件発明１を更に限定したもので、本件発明３は、本件発明１又は２を更に限定したものであるから、上記本件発明１についての判断と同様の理由により、上記甲第１号証乃至甲第３号証に記載された発明に基づいて当業者が容易に発明をすることができたものではない。
　
５．むすび
　以上のとおりであるから、異議申立人の理由及び証拠によっては、本件発明１〜３についての特許を取り消すことができない。
　また、他に本件発明１〜３についての特許を取り消すべき理由を発見しない。
　よって結論のとおり決定する。
【異議決定日】
平成１４年８月２８日（２００２．８．２８）
【訂正の要旨】
（訂正の要旨）
　特許権者が求めている訂正の内容は以下の訂正事項ａのとおりである。
訂正事項ａ．特許請求の範囲の【請求項１】を次のように訂正する。
「【請求項１】固定環と、
　前記固定環の光軸側に設けられ、内周面から内部に設けられた有底の第１案内溝と、外周面から内部に設けられ溝深方向の投影領域に前記第１案内溝と交差部を有し前記固定環によって位置決めされた固定突起部が摺動する有底の外側案内溝とを有する案内環と、
　前記案内環の光軸側に配置され、前記第１案内溝と係合する第１案内ピンと第１レンズとを有し、前記案内環の光軸を略中心とする回転によって光軸方向に駆動する第１レンズ保持枠と、
を有するレンズ鏡筒。」を
「【請求項１】固定環と、
　前記固定環の光軸側に設けられ、内周面から内部に設けられた有底の第１案内溝と、外周面から内部に設けられ溝深方向の投影領域に前記第１案内溝と交差する交差部を有し前記固定環によって位置決めされた固定突起部が摺動する有底の外側案内溝とを有する案内環と、
　前記案内環の光軸側に配置され、前記第１案内溝と係合する第１案内ピンと第１レンズとを有し、前記案内環の光軸を略中心とする回転によって光軸方向に駆動する第１レンズ保持枠と、
を有するレンズ鏡筒。」
と、訂正する。
（５４）【発明の名称】
レンズ鏡筒
（５７）【特許請求の範囲】
　【請求項１】　固定環と、
　前記固定環の光軸側に設けられ、内周面から内部に設けられた有底の第１案内溝と、外周面から内部に設けられ溝深方向の投影領域に前記第１案内溝と
交差する
　前記案内環の光軸側に配置され、前記第１案内溝と係合する第１案内ピンと第１レンズとを有し、前記案内環の光軸方向を略中心とする回転によって光軸方向に駆動するレンズ保持枠と、を有するレンズ鏡筒。
　【請求項２】　請求項１に記載のレンズ鏡筒において、
　前記交差部は、前記案内環の内周面と外周面とを貫通する貫通孔となっていること
を特徴とするレンズ鏡筒。
　【請求項３】　請求項１又は請求項２に記載のレンズ鏡筒において、
　前記案内環は、内周面から内部に設けられた有底の第２案内溝をさらに有し、
　前記案内環の内部に配置され、前記第２案内溝と係合する第２案内ピンと第２レンズを有し、前記案内環の光軸を略中心とする回転によって光軸方向に駆動する第２レンズ保持枠をさらに有すること
を特徴とするレンズ鏡筒。
【発明の詳細な説明】
　【０００１】
　【産業上の利用分野】
　本発明は、レンズ移動装置を有するレンズ鏡筒に関し、特に、各レンズ群を所定の位置に移動させるための機構を改良したレンズ鏡筒に関するものである。
　【０００２】
　【従来の技術】
　従来、ズームレンズ等の多群により構成されるレンズ鏡筒においては、各レンズ群を所定の位置に移動させるために、カム溝とカムピンを使用して行う方式が広く行われている。
　【０００３】
　図４は、レンズ鏡筒の従来例を示す断面図、図５は図４の従来例を展開して示す図である。
　マウント部１は、不図示のカメラボディと結合するための部分であり、固定筒３と一体になっている。固定筒３の外側には、別の固定筒２が一体となるように結合されている。固定筒２の外周には、ズーム操作環４が光軸回りに回転可能に配置されており、光軸方向への移動は規制されている。ズーム操作環４は、径小方向へ延伸する突起４ａを有している。
　【０００４】
　固定筒３の内周には、カム環５が嵌合している。ズーム操作環４の突起４ａは、固定筒２，３の逃げ溝２ａ，３ｃを貫通して、カム環５に設けられた直線溝５ａ（図５参照）に嵌入している。
　固定筒３には、カムピン座８が小ネジ１０により固定されている。カムピン座８は、内側へ突出した突起部８ａを有し、この突起部８ａは、固定筒３に設けられた直線溝３ａに嵌入しており、突起部８ａの内側にカムピン９が螺設されていている。
　【０００５】
　カム環５には、カム溝５ｂが設けられており、このカム溝５ｂには、カムピン９が嵌入している。カム環５の内周には、レンズ群Ｉを保持するレンズ保持筒６が嵌合している。レンズ保持筒６には、カムピン１１が植設されており、カムピン１１は、カム溝５ｃを貫通して固定筒３の直進溝３ｂに嵌入している。
　【０００６】
　レンズ保持筒６の内周には、レンズ群ＩＩを保持するレンズ保持筒７が嵌合している。レンズ保持筒７には、カムピン１２が植設されており、カムピン１２は、レンズ保持筒６に設けられた直進溝６ａを貫通してカム溝５ｄに嵌入している。カム溝５ｄは、突き抜けずに天井付きの状態で形成されている。
　【０００７】
　各カム溝５ａ〜５ｄ等が円周方向にどのように配置されているのかを示したものが図５の展開図である。なお、Ａ１の矢印が光軸の方向を示している。図５に示すように、従来のレンズ鏡筒は、カム環５上に複数のカム溝５ａ〜５ｄを干渉することのないように配置している。
　また、カム溝５ｂ，５ｄのように、接近して設けなければならない場合には、カム溝５ｂ，５ｄが形成されているカム環５の強度を確保するために、図４に示すように、カム溝５ｄを突き抜けにせず、天井を残した状態に形成していた。
　【０００８】
　【発明が解決しようとする課題】
　しかし、上述した従来のレンズ鏡筒においては、一部材上に多くのカム溝を設けねばならない場合に、相互の干渉を避けるためカム溝の全長が制限される。
　このことは、図４，図５に示したズームレンズにおけるカム環５を例して説明すると、カム環５のズーム回転角θ１が制限される。したがって、ズーム操作環４とカム環５が一体となって回転する回転式ズームレンズの場合においては、ズーム回転角θ１が大きくとれずに、カム溝５ｄの傾斜角が大きくなってしまい、ズーミング操作が重くなる等の支障をきたしていた。
　【０００９】
　また、カム溝５ｄは、天井付きであるので、組立時にカムピン１２を嵌入させるためには、カム溝５ｄの一部の天井を切り欠いておかねばならず、突き抜けカム溝と比較して、カム溝の加工に加えて、カムピン１２を組み込むための工具孔５ｅの加工が必要になり、二重の手間がかかっていた。
　【００１０】
　本発明の目的は、前述の課題を解決し、カム溝の全長を大きくとることができ、しかも、カムピンの組み込みのための工具孔を別に設ける必要がないレンズ鏡筒を提供することである。
　【００１１】
　【課題を解決するための手段】
　前記課題を解決するために、請求項１の発明は、固定環と前記固定環の光軸側に設けられ、内周面から内部に設けられた有底の第１案内溝と、外周面から内部に設けられ溝深方向の投影領域に前記第１案内溝と
交差する
　【００１２】
　請求項２の発明は、請求項１に記載のレンズ鏡筒において、前記交差部は、前記案内環の内周面と外周面とを貫通する貫通孔となっていることを特徴とするレンズ鏡筒である。
　請求項３の発明は、請求項１又は請求項２に記載のレンズ鏡筒において、前記案内環は、内周面から内部に設けられた有底の第２案内溝をさらに有し、前記案内環の内部に配置され、前記第２案内溝と係合する第２案内ピンと第２レンズを有し、前記案内環の光軸を略中心とする回転によって光軸方向に駆動する第２レンズ保持枠をさらに有することを特徴とするレンズ鏡筒である。
　【００１３】
　【作用】
　本発明においては、第１カムピンが係合する第１カム溝をカム環の第１側（例えば、外周）に突き抜けない状態で設け、また、第２のカムピンが係合する第２カム溝を前記カム環の第２側（例えば、内周）に突き抜けない状態で設け、第１カム溝と第２カム溝が互いに交差するように配置した。したがって、第１及び第２カム溝が重ねて配置されるので、十分な回転角を確保することができ、ズーム操作などを円滑に行うことができる。
　【００１４】
　また、第１カム溝と第２カム溝が交差してできる重なり部分に開口部が開くようなカム溝深さでカム溝を形成し、その開口部をカム環の内周側に設けられたカム溝と係合するカムピンを組み込みのための工具孔として利用するようにので、そのカムピンを組み込むための工具孔を別に設ける必要もなくなる。
　【００１５】
　【実施例】
　以下、図面などを参照しながら、実施例をあげて、さらに詳しく説明する。
　図１，図２は、本発明によるレンズ鏡筒の第１の実施例を示す展開図であり、図１はワイド側に移動した状態、図２はテレ側に移動した状態をそれぞれ示した図である。なお、前述した従来例と同様な機能を果たす部分には、同一の符号を付して、重複する説明は省略する。
　この実施例のカム環５では、底付きカム溝１０５ｂと天井付きカム溝１０５ｄとは、その１部が重なるように配置されており、その重なり部分が孔１０５ｅ（ハッチング部分）となっている。また、固定筒３には、従来と同様にカムピン１２を組み込むための孔３ｄも設けられている。
　【００１６】
　上記のような実施例において、レンズ群Ｉ，ＩＩをそれぞれ所定の位置に移動させるには、図４において、操作環４を光軸回りに回転させて行う。操作環４の回転に伴い、突起４ａと直線溝５ａの係合によって、カム環５は一体となって回転する。
　そのときに、カム環５の移動を規制するカムピン９とカム溝１０５ｂの係合により、カム環５は回転しながら光軸方向に移動する。このカム環５の回転により、レンズ保持筒６，７は、それぞれカムピン１１，カム溝５ｃ，直進溝３ｂ及びカムピン１２，カム溝１０５ｄ，直進溝６ａなどの係合により、光軸方向へ直進して所定の位置まで移動する。
　【００１７】
　図１の展開図は、ワイド側の状態を表したものであるが、これに対して、図２の展開図は、テレ側へ移行した状態を表したものである。Ａの矢印が光軸の方向を示している。
　このレンズ鏡筒を組み立てる場合に、カムピン１２を組み込むためには、図２の状態で行う。このときには、カムピン１２は、カム溝１０５ｂとカム溝１０５ｄの交わる部分にできた孔１０５ｅ、及び固定筒３に設けられている工具孔３ｄからのぞける状態になるので、カムピン１２を螺設することができる。
　【００１８】
　次に、図５に示した従来例と比較しながら、さらに詳しく説明する。
　この実施例におけるカム環５の回転角θと従来例の回転角θ１とは、θ１＜θの関係がある。つまり、カム溝１０５ｂとカム溝１０５ｄが交わるような形で配置しているので、カム環５の回転角θが大きくとれ、光軸方向に対するカム溝１０５ｄの傾斜角αは、従来例の傾斜角α１に比較して小さくなっており、ズーミング操作の力量が減少する。
　【００１９】
　また、孔１０５ｅはカム溝１０５ｂ，１０５ｄの加工によって生じる孔であるので、孔１０５ｅは、カム溝１０５ｄの加工とは別に工具孔として別途加工する必要がなく、従来例と比較して、作業工数を減らすことができる。
　【００２０】
　図３は、本発明によるレンズ鏡筒の第２の実施例を示す展開図である。
　第２の実施例では、図３に示すように、カム溝２０５ｂとカム溝２０５ｄを端点が一致するように配置してある。このときには、孔２０５ｅは円孔となり、切り欠きが最小になるので、強度上有利である。
　【００２１】
　以上説明した実施例に限定されず、種々の変形や変更が可能であり、それらも本発明に含まれる。
　前述した実施例においては、２つのカム溝の溝幅を同じにしているが、溝幅が異なっていてもよい。例えば、第１の実施例では、カム溝１０５ｄの溝幅がカム溝１０５ｂの溝幅より小さくても差し支えない。
　また、固定筒がカム環の外側、レンズ保持筒が内側にある例で説明したが、最も前側のレンズ群を保持するレンズ保持筒などの場合には、そのレンズ保持筒がカム環の外側にあることもあるが、そのような場合であっても、本発明を適用することができる。また、カム環の両側ともレンズ保持筒であってもよい。
　【００２２】
　【発明の効果】
　以上詳しく説明したように、本発明によれば、カム溝の全長を大きくとることができるので、十分な回転角を確保することが可能になり、スムーズな操作感が得られる。
　また、カム溝を重ねて配置することにより、カムピンの組み込みのための工具孔を別に設ける必要がなくなり、工数が低減できる。
【図面の簡単な説明】
　【図１】
　本発明によるレンズ鏡筒の第１の実施例（ワイド側に移動した状態）を示す展開図である。
　【図２】
　本発明によるレンズ鏡筒の第１の実施例（テレ側に移動した状態）を示す展開図である。
　【図３】
　本発明によるレンズ鏡筒の第２の実施例を示す展開図である。
　【図４】
　レンズ鏡筒の従来例を示す断面図である。
　【図５】
　図４の従来例を展開して示す図である。
　【符号の説明】
　１　マウント
　２，３　固定筒
　５　カム環
　６，７　レンズ保持筒
　９，１１，１２　ピン
　４　操作環
　１０５ｂ，１０５ｄ　カム溝
　１０５ｅ　孔